(57)【要約】【課題】  ミキシングコンソールにおいて、各入力チャンネルから各ミキシングバスへのセンドレベル（供給される音声信号のゲイン）の初期値を自動的に設定する。【解決手段】  各入力チャンネルおよび各ミキシングバスに対して、モノラル、ステレオ、サラウンド等のカテゴリを設定する。ユーザが所定の操作を行うと、各入力チャンネルおよび各ミキシングバスの組み合わせに対して、両者のカテゴリおよび信号種別（Ｌ，Ｃ，Ｒ等）に基づいて、センドレベル初期値テーブル４００に予め設定されたセンドレベルの初期値が自動的に設定される。【選択図】  図１２
2010278821.tif 000002
【特許請求の範囲】
【請求項１】
複数の入力チャンネルの音声信号を複数のミキシングバスに適宜供給することにより該ミキシングバスにおいてこれら音声信号をミキシングするミキシングエンジンに対して、前記各入力チャンネルの音声信号を前記各ミキシングバスに各々供給するか否かを表すセンドオンオフ状態と、該音声信号を供給する場合におけるゲインであるセンドレベルとを指示するミキシングコンソールにおいて、
前記複数の入力チャンネルを複数のグループに分類するとともに分類状態を書き換え可能な入力チャンネル管理テーブルを記憶する入力チャンネル管理テーブル記憶手段であって、前記各グループは、各々、一の入力チャンネルから成るモノラル、二の入力チャンネルから成るステレオ、および三以上の入力チャンネルから成るサラウンドのうちの何れかのカテゴリに属するものである、入力チャンネル管理テーブル記憶手段と、
前記複数のミキシングバスを複数のグループに分類するとともに、分類状態を書き換え可能なミキシングバス管理テーブルを記憶するミキシングバス管理テーブル記憶手段であって、前記各グループは、各々、一のミキシングバスから成るモノラル、二のミキシングバスから成るステレオ、および三以上のミキシングバスから成るサラウンドのうちの何れかのカテゴリに属するものである、ミキシングバス管理テーブル記憶手段と、
前記各入力チャンネルおよび前記各ミキシングバスから成る組み合わせのうち所定の条件を満たす組み合わせを抽出する抽出手段と、
該抽出された組み合わせに対して、当該入力チャンネルにおける当該ミキシングバスへのセンドレベルを所定の初期値に設定する初期値設定手段と
を有することを特徴とするミキシングコンソール。
【請求項２】
前記ステレオのカテゴリを成す二の入力チャンネルは、左および右の信号種別の入力チャンネルから成るものであり、前記ステレオのカテゴリを成す二のミキシングバスは、左および右の信号種別のミキシングバスから成るものであり、
前記初期値設定手段は、前記入力チャンネルおよび前記ミキシングバスのカテゴリが共にステレオである組み合わせに対して、左の入力チャンネルから左のミキシングバスへのセンドレベルと、右の入力チャンネルから右のミキシングバスへのセンドレベルとをリニアスケールで「０」よりも大きい初期値に設定するとともに、左の入力チャンネルから右のミキシングバスへのセンドレベルと右の入力チャンネルから左のミキシングバスへのセンドレベルとをリニアスケールで「０」に設定するものである
ことを特徴とする請求項１記載のミキシングコンソール。
【請求項３】
前記サラウンドのカテゴリを成す三以上の入力チャンネルは、左、右および中央の信号種別の入力チャンネルを少なくとも有するものであり、前記サラウンドのカテゴリを成す三以上のミキシングバスは、左、右および中央の信号種別のミキシングバスを少なくとも有するものであり、
前記初期値設定手段は、前記入力チャンネルおよび前記ミキシングバスのカテゴリが共にサラウンドである組み合わせに対して、左の入力チャンネルから左のミキシングバスへのセンドレベルと、右の入力チャンネルから右のミキシングバスへのセンドレベルと、中央の入力チャンネルから中央のミキシングバスへのセンドレベルとをリニアスケールで「０」よりも大きい初期値に設定するとともに、左の入力チャンネルから右および中央のミキシングバスへのセンドレベルと右の入力チャンネルから左および中央のミキシングバスへのセンドレベルと、中央の入力チャンネルから左および右のミキシングバスへのセンドレベルとをリニアスケールで「０」に設定するものである
ことを特徴とする請求項２記載のミキシングコンソール。
【請求項４】
前記初期値設定手段は、前記入力チャンネルのカテゴリがステレオであり前記ミキシングバスのカテゴリがサラウンドである組み合わせに対して、左の入力チャンネルから左および中央のミキシングバスへのセンドレベルと、右の入力チャンネルから右および中央のミキシングバスへのセンドレベルとをリニアスケールで「０」よりも大きい初期値に設定するとともに、左の入力チャンネルから右のミキシングバスへのセンドレベルと右の入力チャンネルから左のミキシングバスへのセンドレベルとをリニアスケールで「０」に設定するものである
ことを特徴とする請求項３記載のミキシングコンソール。
【請求項５】
前記初期値設定手段は、前記入力チャンネルのカテゴリがサラウンドであり前記ミキシングバスのカテゴリがステレオである組み合わせに対して、左の入力チャンネルから左のミキシングバスへのセンドレベルと、右の入力チャンネルから右のミキシングバスへのセンドレベルと、中央の入力チャンネルから右および左のミキシングバスへのセンドレベルとをリニアスケールで「０」よりも大きい初期値に設定するとともに、左の入力チャンネルから右のミキシングバスへのセンドレベルと右の入力チャンネルから左のミキシングバスへのセンドレベルとをリニアスケールで「０」に設定するものである
ことを特徴とする請求項４記載のミキシングコンソール。
【請求項６】
前記入力チャンネル管理テーブル記憶手段は、前記入力チャンネル毎に自動割当モードのオン／オフ状態を記憶するものであり、
前記ミキシングバス管理テーブル記憶手段は、前記ミキシングバス毎に自動割当モードのオン／オフ状態を記憶するものであり、
前記初期値設定手段は、ユーザによる所定の操作を検出すると、前記入力チャンネルおよび前記ミキシングバスの自動割当モードが共にオン状態である組み合わせに対して、前記センドレベルの初期値を設定するとともに、該組み合わせに係るセンドオンオフ状態をオフ状態に設定するものである
ことを特徴とする請求項１ないし５の何れかに記載のミキシングコンソール。
【請求項７】
複数の入力チャンネルの音声信号を複数のミキシングバスに適宜供給することにより該ミキシングバスにおいてこれら音声信号をミキシングするミキシングエンジンに対して、前記各入力チャンネルの音声信号を前記各ミキシングバスに各々供給するか否かを表すセンドオンオフ状態と、該音声信号を供給する場合におけるゲインであるセンドレベルとを指示するミキシングコンソールに適用されるプログラムであって、
前記ミキシングコンソールは、
処理装置と、
前記複数の入力チャンネルを複数のグループに分類するとともに分類状態を書き換え可能な入力チャンネル管理テーブルを記憶する入力チャンネル管理テーブル記憶手段であって、前記各グループは、各々、一の入力チャンネルから成るモノラル、二の入力チャンネルから成るステレオ、および三以上の入力チャンネルから成るサラウンドのうちの何れかのカテゴリに属するものである、入力チャンネル管理テーブル記憶手段と、
前記複数のミキシングバスを複数のグループに分類するとともに、分類状態を書き換え可能なミキシングバス管理テーブルを記憶するミキシングバス管理テーブル記憶手段であって、前記各グループは、各々、一のミキシングバスから成るモノラル、二のミキシングバスから成るステレオ、および三以上のミキシングバスから成るサラウンドのうちの何れかのカテゴリに属するものである、ミキシングバス管理テーブル記憶手段と
を有するものであり、
前記各入力チャンネルおよび前記各ミキシングバスから成る組み合わせのうち所定の条件を満たす組み合わせを抽出する抽出過程と、
該抽出された組み合わせに対して、当該入力チャンネルにおける当該ミキシングバスへのセンドレベルを所定の初期値に設定する初期値設定過程と
を前記処理装置に実行させることを特徴とするプログラム。
【発明の詳細な説明】
【技術分野】
【０００１】
本発明は、コンサート等における音声信号の調整に用いて好適なミキシングコンソールおよびプログラムに関する。
【背景技術】
【０００２】
コンサート等に用いられるミキサにおいて、マイク等から入力された複数系統の音声信号は、入力チャンネルに割り当てられ、これら音声信号は「入力チャンネル調整部」という箇所にて、音質、音量等の調整が施される。入力チャンネル調整部から出力された音声信号は、複数の「ＭＩＸバス」というバスのうち任意のものに対して任意のレベルで出力され、これらＭＩＸバスにおいては供給された音声信号がミキシングされる。ここで、入力チャンネル調整部からＭＩＸバスに出力される音声信号のゲインを「センドレベル」という。ＭＩＸバスにおいてミキシングされた音声信号は、「ＭＩＸ出力チャンネル」という箇所において再び音質、音量等が調整され、その結果がアンプ、スピーカを介して放音される。ここで、入力チャンネルの数が「１２８」であるとし、ＭＩＸバスの数が「９６」であるとすると、調整すべきセンドレベルの数は最大で「１２８×９６」になる。これらのセンドレベルは、ノブ等の操作子を用いて、ユーザが個々に設定していた。このようなミキサは、例えば非特許文献１に開示されている。
【先行技術文献】
【非特許文献】
【０００３】
【非特許文献１】「PM5D/PM5D-RH V2 DSP5D 取扱説明書」  ヤマハ株式会社，２００４年
【発明の概要】
【発明が解決しようとする課題】
【０００４】
ところで、各入力チャンネルから各ＭＩＸバスに対するセンドレベルは、ユーザによって任意に設定できるが、通常の運用状態においては、センドレベルにある一定の傾向が見られる場合がある。例えば、ある「６」の入力チャンネルに対して、５．１サラウンドシステムを構成する「６」系統の音声信号を割り当て、ある「６」のＭＩＸバスに対して、５．１サラウンドシステムを構成する「６」系統の信号を割り当てたとする。なお、５．１サラウンドシステムは、Ｌ（左フロント），Ｃ（センター），Ｒ（右フロント），Ｌｓ（左サラウンド），Ｒｓ（右サラウンド），ＬＦＥ（低域効果音）の「６」系統の信号から成るものである。この例において、各入力チャンネルから信号種別（Ｌ，Ｃ，Ｒ等）が同一であるＭＩＸバスへのセンドレベル（例えばＬ（左フロント）の入力チャンネルからＬ（左フロント）のＭＩＸバスに対するセンドレベル）は、「０」ｄＢ付近の値に設定される傾向が高い。また、各入力チャンネルから信号種別の異なるＭＩＸバスへのセンドレベルは「−∞」に設定される傾向が高い。そのため、各入力チャンネルから各ＭＩＸバスへのセンドレベルを、通常の運用状態において採用される傾向の高い値に予め設定しておくと、必要なユーザの操作を少なくする（例えばノブの回転角度を小さくする）ことができる。
この発明は上述した事情に鑑みてなされたものであり、各入力チャンネルおよびＭＩＸバスの用途に応じて、これらに適用されるセンドレベルの初期値を自動的に設定することにより、高い操作性を実現することができるミキシングコンソールおよびプログラムを提供することを目的としている。
【課題を解決するための手段】
【０００５】
上記課題を解決するため本発明にあっては、下記構成を具備することを特徴とする。なお、括弧内は例示である。
請求項１記載のミキシングコンソールにあっては、複数の入力チャンネルの音声信号を複数のミキシングバス（１１６−１〜１１６−９６）に適宜供給することにより該ミキシングバス（１１６−１〜１１６−９６）においてこれら音声信号をミキシングするミキシングエンジン（１３００）に対して、前記各入力チャンネルの音声信号を前記各ミキシングバス（１１６−１〜１１６−９６）に各々供給するか否かを表すセンドオンオフ状態と、該音声信号を供給する場合におけるゲインであるセンドレベルとを指示するミキシングコンソール（１１００）において、前記複数の入力チャンネルを複数のグループに分類するとともに分類状態を書き換え可能な入力チャンネル管理テーブル（３００）を記憶する入力チャンネル管理テーブル記憶手段（３００，１１１６）であって、前記各グループは、各々、一の入力チャンネルから成るモノラル、二の入力チャンネルから成るステレオ、および三以上の入力チャンネルから成るサラウンドのうちの何れかのカテゴリに属するものである、入力チャンネル管理テーブル記憶手段（３００，１１１６）と、前記複数のミキシングバス（１１６−１〜１１６−９６）を複数のグループに分類するとともに、分類状態を書き換え可能なミキシングバス管理テーブル（２００）を記憶するミキシングバス管理テーブル記憶手段（２００，１１１６）であって、前記各グループは、各々、一のミキシングバスから成るモノラル、二のミキシングバスから成るステレオ、および三以上のミキシングバスから成るサラウンドのうちの何れかのカテゴリに属するものである、ミキシングバス管理テーブル記憶手段（２００，１１１６）と、前記各入力チャンネルおよび前記各ミキシングバスから成る組み合わせのうち所定の条件を満たす組み合わせを抽出する抽出手段（ＣＰＵ１１１４，ＳＰ１０）と、該抽出された組み合わせに対して、当該入力チャンネルにおける当該ミキシングバスへのセンドレベルを所定の初期値に設定する初期値設定手段（ＣＰＵ１１１４，ＳＰ２０）とを有することを特徴とする。
さらに、請求項２記載の構成にあっては、請求項１記載のミキシングコンソールにおいて、前記ステレオのカテゴリを成す二の入力チャンネルは、左および右の信号種別の入力チャンネルから成るものであり、前記ステレオのカテゴリを成す二のミキシングバスは、左および右の信号種別のミキシングバスから成るものであり、前記初期値設定手段（ＣＰＵ１１１４，ＳＰ２０）は、前記入力チャンネルおよび前記ミキシングバスのカテゴリが共にステレオである組み合わせに対して、左の入力チャンネルから左のミキシングバスへのセンドレベルと、右の入力チャンネルから右のミキシングバスへのセンドレベルとをリニアスケールで「０」よりも大きい初期値（「１」）に設定するとともに、左の入力チャンネルから右のミキシングバスへのセンドレベルと右の入力チャンネルから左のミキシングバスへのセンドレベルとをリニアスケールで「０」に設定するものであることを特徴とする。
さらに、請求項３記載の構成にあっては、請求項２記載のミキシングコンソールにおいて、前記サラウンドのカテゴリを成す三以上の入力チャンネルは、左、右および中央の信号種別の入力チャンネルを少なくとも有するものであり、前記サラウンドのカテゴリを成す三以上のミキシングバスは、左、右および中央の信号種別のミキシングバスを少なくとも有するものであり、前記初期値設定手段（ＣＰＵ１１１４，ＳＰ２０）は、前記入力チャンネルおよび前記ミキシングバスのカテゴリが共にサラウンドである組み合わせに対して、左の入力チャンネルから左のミキシングバスへのセンドレベルと、右の入力チャンネルから右のミキシングバスへのセンドレベルと、中央の入力チャンネルから中央のミキシングバスへのセンドレベルとをリニアスケールで「０」よりも大きい初期値（「１」）に設定するとともに、左の入力チャンネルから右および中央のミキシングバスへのセンドレベルと右の入力チャンネルから左および中央のミキシングバスへのセンドレベルと、中央の入力チャンネルから左および右のミキシングバスへのセンドレベルとをリニアスケールで「０」に設定するものであることを特徴とする。
さらに、請求項４記載の構成にあっては、請求項３記載のミキシングコンソールにおいて、前記初期値設定手段（ＣＰＵ１１１４，ＳＰ２０）は、前記入力チャンネルのカテゴリがステレオであり前記ミキシングバスのカテゴリがサラウンドである組み合わせに対して、左の入力チャンネルから左および中央のミキシングバスへのセンドレベルと、右の入力チャンネルから右および中央のミキシングバスへのセンドレベルとをリニアスケールで「０」よりも大きい初期値（「１」，「Ｘ21」，「Ｘ22」）に設定するとともに、左の入力チャンネルから右のミキシングバスへのセンドレベルと右の入力チャンネルから左のミキシングバスへのセンドレベルとをリニアスケールで「０」に設定するものであることを特徴とする。
さらに、請求項５記載の構成にあっては、請求項４記載のミキシングコンソールにおいて、前記初期値設定手段（ＣＰＵ１１１４，ＳＰ２０）は、前記入力チャンネルのカテゴリがサラウンドであり前記ミキシングバスのカテゴリがステレオである組み合わせに対して、左の入力チャンネルから左のミキシングバスへのセンドレベルと、右の入力チャンネルから右のミキシングバスへのセンドレベルと、中央の入力チャンネルから右および左のミキシングバスへのセンドレベルとをリニアスケールで「０」よりも大きい初期値（「Ｘ01」，「Ｘ02」，「Ｘ03」）に設定するとともに、左の入力チャンネルから右のミキシングバスへのセンドレベルと右の入力チャンネルから左のミキシングバスへのセンドレベルとをリニアスケールで「０」に設定するものであることを特徴とする。
さらに、請求項６記載の構成にあっては、請求項１ないし５の何れかに記載のミキシングコンソールにおいて、前記入力チャンネル管理テーブル記憶手段（３００，１１１６）は、前記入力チャンネル毎に自動割当モードのオン／オフ状態を記憶するものであり、前記ミキシングバス管理テーブル記憶手段（２００，１１１６）は、前記ミキシングバス毎に自動割当モードのオン／オフ状態を記憶するものであり、前記初期値設定手段（ＣＰＵ１１１４，ＳＰ２０）は、ユーザによる所定の操作（イニシャライズ操作）を検出すると、前記入力チャンネルおよび前記ミキシングバスの自動割当モードが共にオン状態である組み合わせに対して、前記センドレベルの初期値を設定するとともに、該組み合わせに係るセンドオンオフ状態をオフ状態に設定するものであることを特徴とする。
また、請求項７記載のプログラムにあっては、複数の入力チャンネルの音声信号を複数のミキシングバス（１１６−１〜１１６−９６）に適宜供給することにより該ミキシングバス（１１６−１〜１１６−９６）においてこれら音声信号をミキシングするミキシングエンジン（１３００）に対して、前記各入力チャンネルの音声信号を前記各ミキシングバス（１１６−１〜１１６−９６）に各々供給するか否かを表すセンドオンオフ状態と、該音声信号を供給する場合におけるゲインであるセンドレベルとを指示するミキシングコンソール（１１００）に適用されるプログラムであって、前記ミキシングコンソール（１１００）は、処理装置（１１１４）と、前記複数の入力チャンネルを複数のグループに分類するとともに分類状態を書き換え可能な入力チャンネル管理テーブル（３００）を記憶する入力チャンネル管理テーブル記憶手段（３００，１１１６）であって、前記各グループは、各々、一の入力チャンネルから成るモノラル、二の入力チャンネルから成るステレオ、および三以上の入力チャンネルから成るサラウンドのうちの何れかのカテゴリに属するものである、入力チャンネル管理テーブル記憶手段（３００，１１１６）と、前記複数のミキシングバス（１１６−１〜１１６−９６）を複数のグループに分類するとともに、分類状態を書き換え可能なミキシングバス管理テーブル（２００）を記憶するミキシングバス管理テーブル記憶手段（２００，１１１６）であって、前記各グループは、各々、一のミキシングバスから成るモノラル、二のミキシングバスから成るステレオ、および三以上のミキシングバスから成るサラウンドのうちの何れかのカテゴリに属するものである、ミキシングバス管理テーブル記憶手段（２００，１１１６）とを有するものであり、前記各入力チャンネルおよび前記各ミキシングバスから成る組み合わせのうち所定の条件を満たす組み合わせを抽出する抽出過程（ＳＰ１０）と、該抽出された組み合わせに対して、当該入力チャンネルにおける当該ミキシングバスへのセンドレベルを所定の初期値に設定する初期値設定過程（ＣＰＵ１１１４，ＳＰ２０）とを前記処理装置（１１１４）に実行させることを特徴とする。
【発明の効果】
【０００６】
このように、本発明によれば、各入力チャンネルおよび各ミキシングバスから成る組み合わせのうち所定の条件を満たす組み合わせを抽出し、該抽出された組み合わせに対して、当該入力チャンネルにおける当該ミキシングバスへのセンドレベルを所定の初期値に自動的に設定するから、高い操作性を実現することができる。
【図面の簡単な説明】
【０００７】
【図１】本発明の一実施例の音響システムのブロック図である。
【図２】コンソール１１００およびエンジン１３００のブロック図である。
【図３】エンジン１３００等において実現されるアルゴリズムのブロック図である。
【図４】該アルゴリズムの要部のブロック図である。
【図５】コンソール１１００の平面図である。
【図６】ＭＩＸバス管理テーブル２００の内容を示す図である。
【図７】入力チャンネル管理テーブル３００の内容を示す図である。
【図８】ＭＩＸバス設定ウィンドウ２５０の構成を示す図である。
【図９】入力チャンネル設定ウィンドウ３５０の構成を示す図である。
【図１０】本実施例におけるイニシャライズ処理のフローチャートである。
【図１１】本実施例の動作説明図である。
【図１２】センドレベル初期値テーブル４００の内容を示す図である。
【図１３】センドレベル初期値テーブル４００の変形例の内容を示す図である。
【発明を実施するための形態】
【０００８】
1．実施例のハードウエア構成
以下、この発明の一実施例の音響システムの構成を図１を参照し説明する。
図１において１０００はＩＰ網であり、デジタル音声および各種制御信号をＩＰパケットとして伝送する。１３００はエンジンであり、複数チャンネルの音声信号をＩＰ網１０００を介して受信し、これら音声信号に対してイコライジング、ミキシング、エフェクト等の処理を施し、その結果である複数チャンネルの音声信号をＩＰパケットに変換し、ＩＰ網１０００を介して出力する。１４００はマイク・コントローラであり、複数のマイク１４０２から入力された音声信号をＩＰパケットに変換し、ＩＰ網１０００を介してエンジン１３００に出力する。１５００はアンプコントローラであり、ＩＰ網１０００を介してエンジン１３００から受信したＩＰパケットを所定形式のデジタル信号に変換し、複数のアンプ１５０２に供給する。
【０００９】
アンプ１５０２は、供給されたデジタル信号をアナログ信号に変換するとともに増幅し、各々に接続された複数のスピーカ１５０４を介して放音する。１６００はその他音声機器であり、例えばハードディスクレコーダ等から構成される。その他音声機器１６００は、ＩＰ網１０００を介してエンジン１３００との間で、ＩＰパケットとしての音声信号を入出力する。１１００は、ユーザによって操作されるメイン・コンソールであり、エンジン１３００、マイク・コントローラ１４００、アンプコントローラ１５００等に対し、各種パラメータの設定を指令する。すなわち、メイン・コンソール１１００においてパラメータの設定を指示する操作がなされると、その内容は制御信号のＩＰパケットとしてエンジン１３００に供給され、エンジン１３００におけるパラメータに反映される。１２００はサブ・コンソールであり、必要に応じてメイン・コンソール１１００に接続される。なお、図１の例においてはサブ・コンソール１２００は１台のみ図示されているが、サブ・コンソール１２００は最大４台までメイン・コンソール１１００に接続することが可能である。
【００１０】
次に、メイン・コンソール１１００の詳細構成を図２(a)を参照し説明する。図において１１１０はパネル表示器群であり、操作パネル上に設けられたドットマトリクス・ディスプレイ、ＬＥＤ等から構成されている。１１１２はパネル操作子群であり、操作パネル上に設けられたボタン、ノブ等から構成されている。１１１４はＣＰＵであり、メモリ１１１６（ＲＯＭおよびＲＡＭ）に格納されたプログラムに基づいて、ＣＰＵバス１１２０を介して他の構成要素を制御する。なお、メモリ１１１６のＲＡＭには、電源がオフされた場合にも記憶内容を保持する不揮発性領域が設けられている。１１２２は電動フェーダ群であり、ユーザの操作に基づいて各入出力チャンネル等の信号レベルを調節するために設けられている。さらに、電動フェーダ群１１２２は、ＣＰＵバス１１２０を介して操作コマンドが供給されると、その操作位置が自動設定されるように構成されている。
【００１１】
１１２４は音声Ｉ／Ｏ部であり、アナログ音声信号が入力されると、これをデジタル音声信号に変換し、オーディオバス１１３０を介して出力するとともに、オーディオバス１１３０を介して供給されたデジタル音声信号をアナログ音声信号に変換し、外部に出力する。１１２６はＤＳＰ（デジタル・シグナル・プロセッサ）であり、オーディオバス１１３０を介して供給された音声信号に対してイコライジング処理等を施す。本実施例の音響システムにおいては、大部分の音声信号処理はエンジン１３００において実行されるが、トークバックやモニタ等の小規模な音声信号処理および入出力は、メイン・コンソール１１００においても実行される。音声Ｉ／Ｏ部１１２４およびＤＳＰ１１２６は、このような音声信号処理および入出力を行うためのものである。
【００１２】
１１２８はネットワークＩ／Ｏ部であり、オーディオバス１１３０を介して供給された制御信号およびＣＰＵバス１１２０を介して供給された音声信号をＩＰパケットに変換しＩＰ網１０００に出力するとともに、ＩＰ網１０００から受信したＩＰパケットを制御信号または音声信号に変換し、ＣＰＵバス１１２０またはオーディオバス１１３０を介して出力する。１１１８はコンソールＩ／Ｏ部であり、サブ・コンソール１２００との間で制御信号および音声信号を入出力する。１１３２はその他Ｉ／Ｏ部であり、その他の機器、例えば汎用パーソナルコンピュータとの間でデータを入出力する。
【００１３】
次に、エンジン１３００の詳細構成を図２(b)を参照し説明する。図において１３１０はパネル表示器群、１３１２はパネル操作子群であり、エンジン１３００に対する簡単な設定および表示を行うためのものである。１３１４はＣＰＵ、１３１６はメモリ（ＲＯＭおよびＲＡＭ）、１３２６はＤＳＰ、１３２８はネットワークＩ／Ｏ部、１３３０はオーディオバス、１３３２はその他Ｉ／Ｏ部であり、上記メイン・コンソール１１００の構成要素１１１４、１１１６、１１２６、１１２８、１１３０、１１３２と略同様に構成されている。但し、ＤＳＰ１３２６は音響システムの大部分のミキシングおよびイコライジング機能を担うため、ＤＳＰ１１２６よりも大規模に構成されている。なお、エンジン１３００は、それ自体でＤＳＰ１３２６のパラメータの値を調整するものではなく、メイン・コンソール１１００から受信する信号処理パラメータの値に基づいて、ＤＳＰ１３２６における各パラメータの値が調整される。
【００１４】
2．ミキシングアルゴリズム構成
次に、エンジン１３００等において実現されるアルゴリズムの内容を図３を参照し説明する。なお、当該アルゴリズムはＤＳＰ１３２６に設定されるプログラムによって実現されるものであり、該プログラムは、ＣＰＵ１３１４の制御の下、メモリ１３１６等からＤＳＰ１３２６にロードされる。また、当該アルゴリズムにおける各種パラメータ（例えば、スイッチのオン／オフ状態や増幅部のゲイン等）は、メイン・コンソール１１００から、ＩＰ網１０００を介して、ネットワークＩ／Ｏ部１３２８に供給される制御信号に基づいて、ＣＰＵ１３１４によって設定される。
【００１５】
図３において１０２はアナログ入力部であり、マイクレベルまたはラインレベルのアナログ音声信号を受信すると、これをデジタル音声信号に変換し、ＩＰ網１０００を介してエンジン１３００に供給する。１０４はデジタル入力部であり、デジタル音声信号を受信すると、これをエンジン１３００用のフォーマットに変換し、ＩＰ網１０００を介してエンジン１３００に供給する。これらアナログ入力部１０２およびデジタル入力部１０４は、図１におけるマイク・コントローラ１４００およびその他音声機器１６００によって実現されるものである。また、１２８はアナログ出力部であり、エンジン１３００からＩＰ網１０００を介して供給されたデジタル音声信号をアナログ音声信号に変換し外部に出力する。１３０はデジタル出力部であり、エンジン１３００からＩＰ網１０００を介して供給された内部フォーマットのデジタル音声信号を所定フォーマット（ＡＥＳ／ＥＢＵ，ＡＤＡＴ，ＴＡＳＣＡＭ等）のデジタル音声信号に変換し出力する。これらアナログ出力部１２８およびデジタル出力部１３０は、アンプコントローラ１５００およびその他音声機器１６００によって実現されるものである。
【００１６】
以上述べた構成は、エンジン１３００とは別体のハードウエアにより実現されているが、上記以外の構成はエンジン１３００において動作するプログラム（ＤＳＰ１３２６用のマイクロプログラムを含む）によって実現されている。１１２は入力チャンネル調整部であり、コンソール１１００，１２００の電動フェーダおよびその他操作子の操作に基づいて、「１２８」チャンネルの入力チャンネルに対して音量・音質等の調整を行う。１１０はステレオ入力チャンネル調整部であり、最大４チャンネルのステレオ入力チャンネルに対して音量・音質等の調整を行う。なお、「１」系統のステレオの音声信号は左右「２」系統の音声信号から構成されていることとする。
【００１７】
１１４はエフェクトリターン部であり、「４」チャンネルの音声信号に対して音量・音質等の調整を行う。なお、エフェクトリターン部１１４は、主としてエフェクト処理の施された音声信号に割り当てられる。１０８は入力パッチ部であり、入力部１０２，１０４等の複数の入力ポートから供給されたデジタル音声信号を、ステレオ入力チャンネル調整部１１０、入力チャンネル調整部１１２、エフェクトリターン部１１４の任意の入力チャンネルに割り当てる。１０６は内蔵エフェクタ部であり、最大「８」ユニットのエフェクタから成り、供給された音声信号に対して、リバーブ、ディレイ、モジュレーション等のエフェクト処理を施し、その結果を入力パッチ部１０８を介してエフェクトリターン部１１４等に供給する。
【００１８】
１１６はＭＩＸバス群であり、「９６」系統のＭＩＸバスから構成されている。なお、これらＭＩＸバスを個別に指すときは、「ＭＩＸバス１１６−ｎ」（１≦ｎ≦９６）のように表記する。各ＭＩＸバスにおいては、各入力チャンネル、各ステレオ入力チャンネルおよび各エフェクトリターン（以下、「入力チャンネル等」という）のデジタル音声信号のうち当該ＭＩＸバスに供給されたものがミキシングされる。各入力チャンネル等においては、音声信号をＭＩＸバスに供給するか否かを各ＭＩＸバス毎に設定することができ、供給する場合には各ＭＩＸバスに対するセンドレベルやフェードモード（プリフェード／ポストフェード）等も系統毎に独立して設定することができる。１１８はステレオバスであり、「１」系統のステレオバスから構成されている。ステレオバスの構成は上記ＭＩＸバスと同様である。
【００１９】
１２０はステレオ出力チャンネル部であり、該ステレオバスにおけるミキシング結果のレベル調節および音質調節を行なう。１２２はＭＩＸ出力チャンネル部であり、上記各ＭＩＸバスにおけるミキシング結果のレベル調節および音質調節を行なう。１２３はマトリクスバス群であり、ステレオ出力チャンネル部１２０およびＭＩＸ出力チャンネル部１２２の出力信号をさらにミキシングする「４８」チャンネルのマトリクスバスから構成されている。１２４はマトリクス出力チャンネル部であり、マトリクスバス群１２３におけるミキシング結果のレベル調節および音質調節を行なう。１２６は出力パッチ部であり、ステレオ出力チャンネル部１２０、ＭＩＸ出力チャンネル部１２２およびマトリクス出力チャンネル部１２４の出力信号を、各出力部１２８，１３０または上記内蔵エフェクタ部１０６の任意のユニットに割り当てる。
【００２０】
次に、入力チャンネル調整部１１２、ステレオ出力チャンネル部１２０およびＭＩＸ出力チャンネル部１２２におけるアルゴリズム構成の詳細を図４を参照し説明する。図において１１２−ｎは第ｎ入力チャンネル調整部であり、第ｎ入力チャンネル（１≦ｎ≦１２８）における音質・音量調整を行う。また、１２２−ｍは第ｍＭＩＸ出力チャンネル部であり、第ｍＭＩＸ出力チャンネル（１≦ｍ≦９６）における音質・音量調整を行う。第ｎ入力チャンネル調整部１１２−ｎの内部において１５０は音質調整部であり、第ｎ入力チャンネルにおけるゲート処理、コンプレッサ処理、イコライザ処理等を行う。ここで、「ゲート処理」とは、不要なノイズを自動的にカットする処理であり、「コンプレッサ処理」とは、ダイナミックレンジを圧縮または伸長する処理であり、「イコライザ処理」とは、パラメトリックイコライザによって各チャンネルの音声信号の周波数特性を設定する処理である。
【００２１】
１５２はチャンネル遅延部であり、必要に応じて第ｎ入力チャンネルの音声信号を遅延させる。１５４は音量調整部であり、第ｎ入力チャンネルの音声信号のゲインを調節する。１５６はオンオフ切換部であり、第ｎ入力チャンネル全体のオンオフを切り換える。１６２−１〜１６２−９６は信号切換部であり、第ｎ入力チャンネルから「９６」系統のＭＩＸバスに各々出力され得る音声信号をフェードモードに応じて切り換える。すなわち、フェードモードが「プリフェード」に設定されると、チャンネル遅延部１５２の出力信号が選択され、「ポストフェード」に設定されるとオンオフ切換部１５６の出力信号が選択される。１６４−１〜１６４−９６はセンドレベル調節部であり、各ＭＩＸバスに出力する信号のゲインすなわちセンドレベルを調節する。
【００２２】
１６６−１〜１６６−９６はセンドオンオフ切換部であり、各ＭＩＸバスに対するセンドオンオフ状態（各ＭＩＸバスに対して音声信号を供給するか否かの状態）を設定する。１５８はステレオセンドオンオフ切換部であり、第ｎ入力チャンネルの音声信号をステレオバス１１８に供給するか否かを切り換える。１６０はＰＡＮ設定部であり、該音声信号をステレオバス１１８に供給する際の左右の音量バランスを設定する。次に、ステレオ出力チャンネル部１２０の内部において１７０は音質調整部であり、ステレオ出力チャンネルにおけるリミッタ処理、コンプレッサ処理、イコライザ処理（周波数特性の調整）等を行う。１７２−Ｌ，Ｒは音量調整部であり、ステレオ出力チャンネルの左右の出力ゲインを調節する。１７４−Ｌ，Ｒはオンオフ切換部であり、ステレオ出力チャンネルの左右のオン／オフ状態を切り換える。
【００２３】
１７６−Ｌ，Ｒはチャンネル遅延部であり、ステレオ出力チャンネルの音声信号を必要に応じて遅延する。次に、第ｍＭＩＸ出力チャンネル部１２２−ｍの内部において１８０は音質調整部であり、上述した音質調整部１５０と同様に、第ｍＭＩＸ出力チャンネルにおけるリミッタ処理、コンプレッサ処理、イコライザ処理等を行う。１８２は音量調整部であり、第ｍＭＩＸ出力チャンネルの出力ゲインを調節する。１８４はオンオフ切換部であり、第ｍＭＩＸ出力チャンネルのオン／オフ状態を切り換える。１８６はチャンネル遅延部であり、第ｍＭＩＸ出力チャンネルの音声信号を必要に応じて遅延する。
【００２４】
3．メイン・コンソール１１００の外観構成
次に、メイン・コンソール１１００の平面図を図５に示す。メイン・コンソール１１００の操作パネル（上板）は、前パネル１１０２と、後パネル１１０４とから構成される。前パネル１１０２において、７２は音質調整部であり、選択された一のチャンネル（以下、「選択チャンネル」という）に対して、音質調整部１５０，１７０，１８０およびチャンネル遅延部１５２，１７６−Ｌ，Ｒ、１８６等のパラメータの詳細設定を行うための各種操作子および表示器から構成されている。また、７０−１〜７０−１６はチャンネルストリップであり、指定された「レイヤ」に属する「１６」のチャンネルに対して、フェーダレベル等の各種パラメータを設定する操作子等から構成されている。
【００２５】
一のチャンネルストリップは、電動フェーダ２、文字表示器４、ＣＵＥボタン６、ｆボタン８、ＳＥＬボタン１０、オン／オフ・ボタン１２、ノブ１４，１８から構成されている。７４は小型ディスプレイであり、ドットマトリクスディスプレイと、その上面に貼付されたタッチパネルとから構成されている。小型ディスプレイ７４は、シーンリコール、ユーザ定義機能、その他各種動作モードについての表示および操作を行うためのものである。また、７６−Ｌ，７６−Ｒは、ステレオ出力チャンネル部１２０専用のチャンネルストリップである。
【００２６】
次に、メイン・コンソール１１００の後パネル１１０４において、８０はセンドレベル調整部であり、選択チャンネルが入力チャンネル等であるとき、該選択チャンネルから、各ＭＩＸバスへのセンドレベル等を設定する。センドレベル調整部８０の内部においては、「１６」個のノブから成るノブ群８０ａと、ノブ群８０ａにアサインするレイヤを選択するための複数のボタンから成るレイヤ選択部８０ｂとが設けられている。ノブ群８０ａに含まれる各ノブは、選択チャンネルにおけるセンドレベル調節部１６４−１〜１６４−９６（図４参照）の何れかに割り当てられ、当該ノブが回動操作されると、対応するセンドレベル調節部１６４−ｍ（１≦ｍ≦９６）のゲインが増減される。
【００２７】
８２は左メインディスプレイ、８４は右メインディスプレイであり、各々ドットマトリクスディスプレイと、その上面に貼付されたタッチパネルとから構成されている。左右メインディスプレイ８２，８４は、各々複数の領域に分かれており、各領域毎に機能が異なる。左メインディスプレイ８２の左端において８２ａは選択チャンネル領域であり、音質調整部７２およびセンドレベル調整部８０とともに、選択チャンネルにおける各種パラメータの表示および設定を行う。８２ｂ，８４ｂはナビゲーション領域であり、チャンネルストリップ７０−１〜７０−１６に対して、割り当てるレイヤを切り替えるためのものである。８２ｅ，８４ｅはチャンネル表示領域であり、対応するチャンネルストリップ７０−１〜７０−１６に割り当てられたチャンネルのチャンネル番号とチャンネル名とが表示される。８２ｃ，８４ｃはパラメータ領域であり、対応するチャンネルストリップ７０−１〜７０−１６に係る各種パラメータの内容および設定用のボタン等が表示される。
【００２８】
4．データ構成
4．1．ＭＩＸバス管理テーブル２００
メイン・コンソール１１００のメモリ１１１６には、図６に示すＭＩＸバス管理テーブル２００、図７に示す入力チャンネル管理テーブル３００および図１２に示すセンドレベル初期値テーブル４００が記憶されている。
まず、図６の管理テーブル２００内において２０２はチャンネル番号欄であり、ＭＩＸバス１１６−１〜１１６−９６に対して、「Mix 1」〜「Mix 96」の番号が順次記憶されている。２０４はカテゴリ欄であり、「モノラル」「ステレオ」、または「サラウンド」の何れかのカテゴリが記憶される。ここで、「モノラル」とは、一のＭＩＸバスの音声信号が他のＭＩＸバスの音声信号とは独立しており、当該ＭＩＸバスに対するセンドレベルを独立して調節すべきカテゴリである。また、「ステレオ」とは、二のＭＩＸバスの音声信号がグループ（ペア）を構成し、両ＭＩＸバスに対するセンドレベルを連動して調節すべきカテゴリである。
【００２９】
また、「サラウンド」とは、三以上のＭＩＸバスの音声信号がグループを構成し、これらＭＩＸバスに対するセンドレベルを連動して調節すべきカテゴリである。また、より詳細には、「サラウンド」のカテゴリは、実際は「３．１サラウンド」、「ＬＣＲ」、「５．１サラウンド」、「６．１サラウンド」、「４チャンネルステレオ」等に区別される。また、カテゴリ欄２０４においては、各カテゴリ内における当該ＭＩＸバスの音声信号の信号種別も記憶される。例えば、カテゴリが「ステレオ」であれば、信号種別としてＬ（左），Ｒ（右）の別が記憶される。また、カテゴリが「サラウンド」である場合は、サラウンドの種類に応じて信号種別も異なるが、例えば「ＬＣＲ」においては、Ｌ（左フロント），Ｃ（センター），Ｒ（右フロント）の信号種別が記憶される。また、例えば５．１サラウンドシステムにおいては、Ｌ（左フロント），Ｃ（センター），Ｒ（右フロント）に加えて、Ｌｓ（左サラウンド），Ｒｓ（右サラウンド），ＬＦＥ（低域効果音）の信号種別が記憶される。
【００３０】
なお、ＬＦＥ（低域効果音）とは、低域の効果音のみを出力するチャンネルであり、１２０Ｈｚ以下の周波数成分を有する（１２０Ｈｚ以上の周波数帯域をカットした）重低音を補助的に出力することで、音響に迫力を加えるためのものである。ＬＦＥに対応するＭＩＸバスには、ＬＦＥ専用の入力チャンネルから、元々１２０Ｈｚ以上の周波数帯域をカットした音声信号が供給される場合と、通常の入力チャンネルから、１２０Ｈｚ以上の周波数成分を有する音声信号が供給される場合とが想定される。このため、通常は、ＬＦＥに対応する第ｍＭＩＸ出力チャンネル部１２２−ｍにおいては、１２０Ｈｚ以上の周波数帯域をカットするように、音質調整部１８０（図４参照）のパラメータが設定される。なお、人間の聴覚は、低音域の方向性を判別する能力に乏しいため、ＬＦＥは音像の定位には寄与せず、音像はＬＦＥ以外のチャンネルによって決定される。
【００３１】
２０６は名称欄であり、当該ＭＩＸ出力チャンネルの名称が記憶される。但し、同一のグループを構成するチャンネルには、同一の名称が記憶される。２０８はグループＩＤ欄であり、ＭＩＸバスのグループ毎に一意の識別番号を記憶する。図６の例にあっては、ＭＩＸバス１１６−１，１１６−２（Mix 1，Mix 2）には、共に同一の識別番号「１」が付与されており、両者によってステレオのグループが構成されている。同様に、ＭＩＸバス１１６−９，１１６−１０（Mix 9，Mix 10）には、共に同一の識別番号「３」が付与されており、両者によってステレオのグループが構成されている。
【００３２】
また、ＭＩＸバス１１６−３〜１１６−８（Mix 3〜Mix 8）には、共に同一の識別番号「２」が付与され、これらによって「５．１サラウンド」のグループが構成されている。他のＭＩＸバスは、各々が「モノラル」のグループを構成している。２１０は自動割当モード欄であり、自動割当モードのＯＮ／ＯＦＦ状態を記憶する。自動割当モードは、各入力チャンネルから当該ＭＩＸバスに適用されるセンドレベルの初期値を自動的に設定する場合は“ＯＮ”に設定され、初期値を自動的に設定しない場合は“ＯＦＦ”に設定される。自動割当モードのＯＮ／ＯＦＦ状態は、同一のグループ内では同一の状態に設定される。なお、ＭＩＸバス管理テーブル２００内においてチャンネル番号欄２０２は固定であるが、カテゴリ欄２０４、名称欄２０６、および自動割当モード欄３１０の内容はユーザが任意に設定することができる。また、グループＩＤ欄２０８における識別番号は、ユーザによるカテゴリ欄２０４の設定結果に基づいて自動的に付与される。
【００３３】
4．2．入力チャンネル管理テーブル３００
次に、図７の入力チャンネル管理テーブル３００内において３０２はチャンネル番号欄であり、入力チャンネル調整部１１２−１〜１１２−１２８に対して、「Ch 1」〜「Ch 128」の番号が順次記憶されている。３０４はカテゴリ欄であり、上述したＭＩＸバス管理テーブル２００におけるカテゴリ欄２０４と同様に、各入力チャンネル毎に、「モノラル」、「ステレオ」、または「サラウンド」の何れかのカテゴリが記憶される。また、「サラウンド」のカテゴリが、「３．１サラウンド」、「５．１サラウンド」、「６．１サラウンド」、「４チャンネルステレオ」等に区別される点、および各カテゴリ内における当該ＭＩＸバスの音声信号の信号種別（例えばステレオの場合はＬ（左）またはＲ（右））が記憶される点も、カテゴリ欄２０４と同様である。
【００３４】
３０６は名称欄であり、当該入力チャンネルの名称が記憶される。また、同一のグループを構成するチャンネルには、同一の名称が記憶される。３０８はグループＩＤ欄であり、入力チャンネルのグループ毎に一意の識別番号を記憶する。図７の例にあっては、第１，第２入力チャンネル（Ch 1，Ch 2）には、共に同一の識別番号「１０１」が付与されており、両者によってステレオのグループが構成されている。また、第７〜第１２入力チャンネル（Ch 7〜Ch 12）には、共に同一の識別番号「１０６」が付与され、これらによって「５．１サラウンド」のグループが構成されている。また、第１４〜第１６入力チャンネル（Ch 14〜Ch 16）には、共に同一の識別番号「１０８」が付与され、これらによって「ＬＣＲ」のグループが構成されている。他の入力チャンネルは、各々が「モノラル」のグループを構成している。
【００３５】
３１０は自動割当モード欄であり、自動割当モードのオン／オフ状態を記憶する。この入力チャンネルにおける自動割当モードは、当該入力チャンネルから、各ＭＩＸバスに適用されるセンドレベルの初期値を自動的に設定する場合は“ＯＮ”に設定され、初期値を自動的に設定しない場合は“ＯＦＦ”に設定される。自動割当モードのＯＮ／ＯＦＦ状態は、同一のグループ内では同一の状態に設定される。上述したＭＩＸバス管理テーブル２００と同様に、入力チャンネル管理テーブル３００にあっては、チャンネル番号欄３０２は固定であり、カテゴリ欄３０４、名称欄３０６、および自動割当モード欄３１０の内容はユーザが任意に設定することができる。また、グループＩＤ欄３０８における識別番号は、ユーザによるカテゴリ欄３０４の設定結果に基づいて自動的に付与される。より詳細には、入力チャンネルとＭＩＸバスとの組み合わせは「１２８×９６」存在するが、入力チャンネルの自動割当モードが“ＯＮ”であり、かつ、ＭＩＸバスの自動割当モードが“ＯＮ”である組み合わせに対してのみ、センドレベルの初期値が自動的に設定される。
【００３６】
4．3．センドレベル初期値テーブル４００
次に、図１２のセンドレベル初期値テーブル４００において、横軸は、入力チャンネルのカテゴリおよび信号種別を表しており、縦軸は、ＭＩＸバスのカテゴリおよび信号種別を表している。横軸および縦軸の交差点は、当該入力チャンネルから当該ＭＩＸバスへのセンドレベルの初期値をリニアスケールで表したものである。すなわち、デシベル表記に変換すると、図中の「１」は「０ [ｄＢ]」、図中の「０」は「−∞ [ｄＢ]」になる。「Ｘ01」，「Ｘ02」，「Ｘ03」等、「Ｘ」と２桁の数字で表される変数は、リニアスケールで「０〜１」の範囲で、ユーザが任意に設定することができる。但し、これらの変数は、通常の使用状態では「０」よりも大きい値に設定される。また、図１２は、入力チャンネルおよびＭＩＸバスのカテゴリとして「モノラル」、「ステレオ」、「ＬＣＲ」、「５．１サラウンド」の「４」種類のみについて図示し、他のカテゴリについては図示を省略している。
【００３７】
5．実施例の動作
5．1．管理パラメータ設定処理
5．1．1．ＭＩＸバス
ユーザが小型ディスプレイ７４において所定の操作を行うと、上記ＭＩＸバス管理テーブル２００（図６）の内容を設定するために、図８に示すＭＩＸバス設定ウィンドウ２５０が左右メインディスプレイ８２，８４に表示される。図８において２５２はチャンネル番号欄であり、上記ＭＩＸバス管理テーブル２００（図６）におけるチャンネル番号欄２０２の内容が表示される。また、２５４はカテゴリ選択欄であり、管理テーブル２００におけるカテゴリ欄２０４の内容を設定するために、各チャンネル毎に設けられたリストボックスによって構成されている。
【００３８】
２５６は名称設定欄であり、管理テーブル２００における名称欄２０６の内容を設定するために、各チャンネル毎に設けられたテキストボックスによって構成されている。２５８はチェックボックスであり、ユーザによって押下される毎に、自動割当モードのＯＮ／ＯＦＦ状態をトグルで切り替える。なお、チェックが付いているＭＩＸバスは自動割当モードが“ＯＮ”であり、空欄であるＭＩＸバスは自動割当モードが“ＯＦＦ”である。２６０はＯＫボタンであり、ユーザによって押下されると、ＭＩＸバス設定ウィンドウ２５０における設定内容を反映するようにＭＩＸバス管理テーブル２００の内容が更新され、しかる後にＭＩＸバス設定ウィンドウ２５０が閉じられる。また、２６２はキャンセルボタンであり、ユーザによって押下されると、管理テーブル２００を更新することなくＭＩＸバス設定ウィンドウ２５０が閉じられる。２６４はスクロールボタンであり、ＭＩＸバス設定ウィンドウ２５０に表示されるＭＩＸバスをスクロールする（「１６」チャンネルづつ増加または減少させる）。
【００３９】
上記カテゴリ選択欄２５４のリストボックスにおいては、モノラル、ステレオ、サラウンド等のカテゴリが選択できる。そして、ステレオおよびサラウンドにあっては、あるチャンネルのＭＩＸバスのカテゴリが設定されると、これに続く番号のチャンネルについても、カテゴリが自動的に設定される。例えば、あるＭＩＸバス１１６−ｎのカテゴリが「ステレオ」に設定されると、当該ＭＩＸバス１１６−ｎのの信号種別がステレオＬ（左）に設定され、番号が「１」だけ大きいＭＩＸバス１１６−（ｎ＋１）の信号種別が同一グループのステレオＲ（右）に設定される。また、ＭＩＸバス１１６−ｎに対して「ＬＣＲ」のカテゴリが設定されると、当該ＭＩＸバスを始点とする「３」チャンネルのＭＩＸバスが確保され、これらによってＬＣＲのグループが形成される。これら信号種別はＭＩＸバスのチャンネル番号順に、Ｌ（左フロント），Ｃ（センター），Ｒ（右フロント）に設定される。同様に、ＭＩＸバス１１６−ｎに対して「５．１サラウンド」のカテゴリが設定されると、当該ＭＩＸバスを始点とする「６」チャンネルのＭＩＸバスが確保され、これらによってサラウンドのグループが形成される。これら信号種別はＭＩＸバスのチャンネル番号順に、Ｌ（左フロント），Ｃ（センター），Ｒ（右フロント），Ｌｓ（左サラウンド），Ｒｓ（右サラウンド），ＬＦＥ（低域効果音）に設定される。
【００４０】
図示の例にあっては、ＭＩＸバス１１６−１（Mix 1）のカテゴリが「ステレオ」に設定された結果、ＭＩＸバス１１６−１，１１６−２（Mix 1，Mix 2）のカテゴリが共に「ステレオ」に設定されている。また、ＭＩＸバス１１６−１（Mix 1）の信号種別がＬ（左）に設定されるとともに、ＭＩＸバス１１６−２（Mix 2）の信号種別がＲ（右）に設定されている。また、ＭＩＸバス１１６−３（Mix 3）のカテゴリが「５．１サラウンド」に設定された結果、ＭＩＸバス１１６−３〜１１６−８（Mix 3〜Mix 8）によって「５．１サラウンド」のグループが形成され、これらＭＩＸバスに係る信号種別がＬ（左フロント），Ｃ（センター），Ｒ（右フロント），Ｌｓ（左サラウンド），Ｒｓ（右サラウンド），ＬＦＥ（低域効果音）に順次設定されている。
【００４１】
5．1．2．入力チャンネル
また、ユーザが小型ディスプレイ７４において他の所定の操作を行うと、上記入力チャンネル管理テーブル３００（図７）の内容を設定するために、図９に示す入力チャンネルウィンドウ３５０が左右メインディスプレイ８２，８４に表示される。図９において３５２はチャンネル番号欄であり、上記入力チャンネル管理テーブル３００（図７）におけるチャンネル番号欄３０２の内容が表示される。また、３５４はカテゴリ選択欄であり、管理テーブル３００におけるカテゴリ欄３０４の内容を設定するために、各チャンネル毎に設けられたリストボックスによって構成されている。上述したＭＩＸバス設定ウィンドウ２５０の場合と同様に、カテゴリ選択欄３５４においてある入力チャンネルのカテゴリが「ステレオ」または「サラウンド」に設定されると、これに続く番号の所要数のチャンネルについても、同一のカテゴリが自動的に設定される。
【００４２】
３５６は名称設定欄であり、管理テーブル３００における名称欄３０６の内容を設定するために、各チャンネル毎に設けられたテキストボックスによって構成されている。３５８はチェックボックスであり、ユーザによって押下される毎に、自動割当モードのＯＮ／ＯＦＦ状態をトグルで切り替える。上記ＭＩＸバス設定ウィンドウ２５０の場合と同様に、チェックが付いているＭＩＸバスは自動割当モードが“ＯＮ”であり、空欄であるＭＩＸバスは自動割当モードが“ＯＦＦ”である。３６０はＯＫボタンであり、ユーザによって押下されると、入力チャンネルウィンドウ３５０における設定内容を反映するように入力チャンネル管理テーブル３００の内容が更新され、しかる後に入力チャンネルウィンドウ３５０が閉じられる。また、３６２はキャンセルボタンであり、ユーザによって押下されると、管理テーブル３００を更新することなく入力チャンネルウィンドウ３５０が閉じられる。３６４はスクロールボタンであり、入力チャンネルウィンドウ３５０に表示される入力チャンネルをスクロールする（「１６」チャンネルづつ増加または減少させる）。
【００４３】
5．2．イニシャライズ処理
上述したＭＩＸバス管理テーブル２００または入力チャンネル管理テーブル３００が更新された場合においても、そのままでは、ミキシングアルゴリズムにおけるパラメータは更新されず、所定のイニシャライズ操作（例えば小型ディスプレイ７４における所定の操作）が検出された際に、図１０に示すイニシャライズ処理ルーチンがメイン・コンソール１１００のＣＰＵ１１１４において起動され、これらのパラメータが更新される。そこで、該ルーチンの動作を説明する。図１０において処理がステップＳＰ１０に進むと、管理テーブル２００，３００における自動割当モード欄２１０，３１０が検索され、センドレベルを自動的に割り当てる範囲が抽出される。すなわち、入力チャンネルの自動割当モードが“ＯＮ”であり、かつ、ＭＩＸバスの自動割当モードが“ＯＮ”である組み合わせの範囲が自動割当範囲である。そして、この自動割当範囲におけるセンドオンオフ切換部（自動割当モードが“ＯＮ”である第ｎ入力チャンネル調整部（１≦ｎ≦１２８）において、自動割当モードが“ＯＮ”であるセンドオンオフ切換部１６６−ｍ（１≦ｍ≦９６））が全てオフ状態に設定される。これにより、これら入力チャンネルからＭＩＸバスに対する信号の供給が停止される。
【００４４】
次に、処理がステップＳＰ２０に進むと、上記自動割当範囲におけるセンドレベル（自動割当モードが“ＯＮ”である第ｎ入力チャンネル調整部（１≦ｎ≦１２８）において、自動割当モードが“ＯＮ”であるセンドレベル調節部１６４−ｍ（１≦ｍ≦９６）のゲイン）が、各入力チャンネルおよびＭＩＸバスのカテゴリおよび信号種別と、センドレベル初期値テーブル４００（図１２）とに基づいて自動的に決定される。ここで、自動割当処理の概要を図１１を参照し説明する。なお、図１１は、管理テーブル２００，３００の状態が図６，図７に示した通りのものであるときの、センドレベルの設定状態の概要を示すものである。図１１において、各横軸は入力チャンネル、各縦軸はＭＩＸバスに対応している。横軸と縦軸との交差点のうち、円を付した交差点は「−∞」ｄＢより大きいセンドレベルが付与され、円を付していない交差点は「−∞」ｄＢのセンドレベルが付与される。
【００４５】
5．3．センドレベル設定の詳細
次に、上記ステップＳＰ２０において、各入力チャンネルから各ＭＩＸバスに対して設定されるセンドレベルの詳細を図１２を再び参照しつつ説明する。ここで、以後の説明におけるセンドレベルの表記方法について説明する。まず、第ｎ入力チャンネルからＭＩＸバス１１６−ｍへのセンドレベル（センドレベル調節部１６４−ｍのゲイン）を、チャンネル番号を用いて、「センドレベルＳＬ（ｎ，ｍ）」のように表記することができる。また、チャンネル番号に代えて、信号種別と、入力チャンネルを現す「_in」，ＭＩＸバスを現す「_out」とを用いて表記する場合もある。すなわち、第ｎ入力チャンネルおよびＭＩＸバス１１６−ｍの信号種別が共にＬ（左）であれば、「センドレベルＳＬ（Ｌ_in，Ｌ_out）」のように表記することができる。
【００４６】
また、信号種別を表すＬ_in，Ｌ_out等の文字列がリニアスケールの「信号レベル」も表すものとし、Ｌ_outをＬ_inの一次関数として表現することにより、リニアスケールのセンドレベルを表すことができる。例えば、
Ｌ_out＝Ｘ00・Ｌ_in
のような数式である。この式において、左辺における「Ｌ_out」は、対応するＭＩＸバスに現れる信号レベルである。また、右辺における「Ｌ_in」は、あるＭＩＸバスへのセンドレベルが「０」ｄＢであるときに当該ＭＩＸバスに出力される信号レベルである。そして、「Ｌ_in」に対する係数「Ｘ00」は、センドレベルＳＬ（Ｌ_in，Ｌ_out）をリニアスケールで表現した値になる。
【００４７】
(1)入力：ステレオ→出力：ステレオ
第ｎ，第（ｎ＋１）入力チャンネルが「ステレオ」グループを形成し、ＭＩＸバス１１６−ｍ，１１６−（ｍ＋１）が「ステレオ」グループを形成し、これらの自動割当モードが共に“ＯＮ”であったとする。かかる場合、図１２によれば、リニアスケールで表したセンドレベルは以下の通りになる。
ＳＬ（Ｌ_in，Ｌ_out）＝１，
ＳＬ（Ｌ_in，Ｒ_out）＝０，
ＳＬ（Ｒ_in，Ｌ_out）＝０，
ＳＬ（Ｒ_in，Ｒ_out）＝１                …式（１）
また、第ｎ入力チャンネル，ＭＩＸバス１１６−ｍの信号種別はＬ（左）であり、第（ｎ＋１）入力チャンネル，ＭＩＸバス１１６−（ｍ＋１）の信号種別はＲ（右）であるから、信号種別に代えてチャンネル番号を用いるとともに、ログスケールでセンドレベルを表すと、各センドレベルは以下のように表記できる。
【００４８】
ＳＬ（ｎ，ｍ）＝０ [ｄＢ]，
ＳＬ（ｎ，ｍ＋１）＝−∞ [ｄＢ]，
ＳＬ（ｎ＋１，ｍ）＝−∞ [ｄＢ]，
ＳＬ（ｎ＋１，ｍ＋１）＝０ [ｄＢ]        …式（２）
ここで、信号種別を表すＬ_in，Ｌ_out，Ｒ_in，Ｒ_outをリニアスケールの「信号レベル」も表すものとし、上記各センドレベルを係数として用いた数式で信号レベルＲ_in，Ｒ_outを表現すると、下式のようになる。
Ｌ_out＝１・Ｌ_in＋０・Ｒ_in＝Ｌ_in
Ｒ_out＝０・Ｌ_in＋１・Ｒ_in＝Ｒ_in        …式（３）
式（１）〜（３）は等価であり、以後は主として式（３）の形式によって各種センドレベルを表記する。上記センドレベルは、例えば図１１において、第１，第２入力チャンネル（Ch 1，Ch 2）と、ＭＩＸバス１１６−１，１１６−２（Mix 1，Mix 2）との交差点に対応する。
【００４９】
(2)入力：ＬＣＲ→出力：ステレオ
第ｎ〜第（ｎ＋２）入力チャンネルが「ＬＣＲ」グループを形成し、ＭＩＸバス１１６−ｍ，１１６−（ｍ＋１）が「ステレオ」グループを形成し、これらの自動割当モードが共に“ＯＮ”であったとする。かかる場合、図１２によれば、上記ステップＳＰ２０において、各センドレベルは、下式に基づいて設定される。
ＳＬ（Ｌ_in，Ｌ_out）＝Ｘ01，
ＳＬ（Ｌ_in，Ｒ_out）＝０，
ＳＬ（Ｒ_in，Ｌ_out）＝０，
ＳＬ（Ｒ_in，Ｒ_out）＝Ｘ02，
ＳＬ（Ｃ_in，Ｌ_out）＝Ｘ03，
ＳＬ（Ｃ_in，Ｒ_out）＝Ｘ03              …式（４）
また、式（４）は、上式（３）の表現方法によれば、次のように表記できる。
Ｌ_out＝Ｘ01・Ｌ_in＋Ｘ03・Ｃ_in
Ｒ_out＝Ｘ02・Ｒ_in＋Ｘ03・Ｃ_in          …式（５）
上記センドレベルは、例えば図１１において、第１４〜第１６入力チャンネル（Ch 14〜Ch 16）と、ＭＩＸバス１１６−１，１１６−２（Mix 1，Mix 2）との交差点に対応する。
【００５０】
(3)入力：５．１サラウンド→出力：ステレオ
第ｎ〜第（ｎ＋５）入力チャンネルが「５．１サラウンド」グループを形成し、ＭＩＸバス１１６−ｍ，１１６−（ｍ＋１）が「ステレオ」グループを形成し、これらの自動割当モードが共に“ＯＮ”であったとする。かかる場合、図１２によれば、上記ステップＳＰ２０において、各センドレベルは、下式に基づいて設定される。
Ｌ_out＝Ｘ11・Ｌ_in＋Ｘ13・Ｌｓ_in＋Ｘ15・Ｃ_in＋Ｘ16・ＬＦＥ_in，
Ｒ_out＝Ｘ12・Ｒ_in＋Ｘ14・Ｒｓ_in＋Ｘ15・Ｃ_in＋Ｘ16・ＬＦＥ_in  …式（６）
上記センドレベルは、例えば図１１において、第７〜第１２入力チャンネル（Ch 7〜Ch 12）と、ＭＩＸバス１１６−１，１１６−２（Mix 1，Mix 2）との交差点に対応する。
【００５１】
(4)入力：ステレオ→出力：ＬＣＲ
第ｎ，第（ｎ＋１）入力チャンネルが「ステレオ」グループを形成し、ＭＩＸバス１１６−ｍ〜１１６−（ｍ＋２）が「ＬＣＲ」グループを形成し、これらの自動割当モードが共に“ＯＮ”であったとする。かかる場合、図１２によれば、上記ステップＳＰ２０において、各センドレベルは、下式に基づいて設定される。
Ｌ_out＝Ｌ_in，
Ｃ_out＝Ｘ21・Ｌ_in＋Ｘ22・Ｒ_in，
Ｒ_out＝Ｒ_in                              …式（７）
【００５２】
(5)入力：ＬＣＲ→出力：ＬＣＲ
第ｎ〜第（ｎ＋２）入力チャンネルが「ＬＣＲ」グループを形成し、ＭＩＸバス１１６−ｍ〜１１６−（ｍ＋２）が「ＬＣＲ」グループを形成し、これらの自動割当モードが共に“ＯＮ”であったとする。かかる場合、図１２によれば、上記ステップＳＰ２０において、各センドレベルは、下式に基づいて設定される。
Ｌ_out＝Ｌ_in，
Ｃ_out＝Ｃ_in，
Ｒ_out＝Ｒ_in                              …式（８）
【００５３】
(6)入力：５．１サラウンド→出力：ＬＣＲ
第ｎ〜第（ｎ＋５）入力チャンネルが「５．１サラウンド」グループを形成し、ＭＩＸバス１１６−ｍ〜１１６−（ｍ＋２）が「ＬＣＲ」グループを形成し、これらの自動割当モードが共に“ＯＮ”であったとする。かかる場合、上記ステップＳＰ２０においては、各センドレベルは、下式に基づいて設定される。
Ｌ_out＝Ｘ31・Ｌ_in＋Ｘ33・Ｌｓ_in＋Ｘ36・ＬＦＥ_in，
Ｃ_out＝Ｃ_in＋Ｘ36・ＬＦＥ_in，
Ｒ_out＝Ｘ32・Ｒ_in＋Ｘ34・Ｒｓ_in＋Ｘ36・ＬＦＥ_in  …式（９）
【００５４】
(7)入力：ステレオ→出力：５．１サラウンド
第ｎ，第（ｎ＋１）入力チャンネルが「ステレオ」グループを形成し、ＭＩＸバス１１６−ｍ〜１１６−（ｍ＋５）が「５．１サラウンド」グループを形成し、これらの自動割当モードが共に“ＯＮ”であったとする。かかる場合、図１２によれば、上記ステップＳＰ２０において、各センドレベルは、下式に基づいて設定される。
Ｌ_out＝Ｌ_in，
Ｃ_out＝Ｘ41・Ｌ_in＋Ｘ41・Ｒ_in，
Ｒ_out＝Ｒ_in，
Ｌｓ_out＝Ｌ_in，
Ｒｓ_out＝Ｒ_in，
ＬＦＥ_out＝Ｘ42・Ｌ_in＋Ｘ42・Ｒ_in                …式（１０）
【００５５】
(8)入力：ＬＣＲ→出力：５．１サラウンド
第ｎ〜第（ｎ＋２）入力チャンネルが「ＬＣＲ」グループを形成し、ＭＩＸバス１１６−ｍ〜１１６−（ｍ＋５）が「５．１サラウンド」グループを形成し、これらの自動割当モードが共に“ＯＮ”であったとする。かかる場合、図１２によれば、上記ステップＳＰ２０において、各センドレベルは、下式に基づいて設定される。
Ｌ_out＝Ｌ_in，
Ｃ_out＝Ｃ_in，
Ｒ_out＝Ｒ_in
Ｌｓ_out＝Ｃ_in＋Ｘ51・Ｌ_in，
Ｒｓ_out＝Ｃ_in＋Ｘ52・Ｒ_in，
ＬＦＥ_out＝Ｃ_in＋Ｘ53・Ｌ_in＋Ｘ54・Ｒ_in        …式（１１）
【００５６】
(9)入力：５．１サラウンド→出力：５．１サラウンド
第ｎ〜第（ｎ＋５）入力チャンネルが「５．１サラウンド」グループを形成し、ＭＩＸバス１１６−ｍ〜１１６−（ｍ＋５）が「５．１サラウンド」グループを形成し、これらの自動割当モードが共に“ＯＮ”であったとする。かかる場合、図１２によれば、上記ステップＳＰ２０において、各センドレベルは、下式に基づいて設定される。
Ｌ_out＝Ｌ_in，
Ｃ_out＝Ｃ_in，
Ｒ_out＝Ｒ_in
Ｌｓ_out＝Ｌｓ_in，
Ｒｓ_out＝Ｒｓ_in，
ＬＦＥ_out＝ＬＦＥ_in                              …式（１２）
【００５７】
(10)入力または出力がモノラルである場合
該第ｎ入力チャンネルおよびＭＩＸバス１１６−ｍの自動割当モードが共に“ＯＮ”であって第ｎ入力チャンネルのカテゴリが「モノラル」である場合、図１２によれば、ＭＩＸバス１１６−ｍのカテゴリに関わらず、上記ステップＳＰ２０において、該第ｎ入力チャンネルから該ＭＩＸバス１１６−ｍへのセンドレベルは、リニアスケールで「１」に設定される。また、該第ｎ入力チャンネルおよびＭＩＸバス１１６−ｍの自動割当モードが共に“ＯＮ”であってＭＩＸバス１１６−ｍのカテゴリが「モノラル」である場合、図１２によれば、第ｎ入力チャンネルのカテゴリに関わらず、上記ステップＳＰ２０において、該第ｎ入力チャンネルから該ＭＩＸバス１１６−ｍへのセンドレベルは、リニアスケールで「１」に設定される。
【００５８】
以上のように、本実施例によれば、各入力チャンネルおよび各ＭＩＸバスから成る組み合わせに対して、センドレベル初期値テーブル４００に基づいてセンドレベルの初期値に自動的に設定できるから、高い操作性を実現することができる。
【００５９】
6．変形例
本発明は上述した実施例に限定されるものではなく、例えば以下のように種々の変形が可能である。
(1)上記実施例においては、コンソール１１００，１２００、エンジン１３００、マイク・コントローラ１４００、アンプコントローラ１５００、およびその他音声機器１６００等の装置を別々の筐体内に収容し、これらの装置をＩＰ網１０００で接続したが、これらの装置の全部または一部を同一の筐体内に収納してもよい。
【００６０】
(2)また、上記実施例においては、センドレベル初期値テーブル４００に記憶されるセンドレベルの初期値は、リニアスケールで「１」または「０」に固定されるものと、ユーザが任意に設定できるもの（例えばＸ01，Ｘ02など）とから構成されていたが、テーブルに記憶される全ての初期値について、ユーザが任意に設定できるようにしてもよい。これにより、例えば、リニアスケールで「１」である初期値は、「０」よりも大きい任意の初期値に設定することができる。
【００６１】
(3)また、図１２に示すセンドレベル初期値テーブル４００においては、図示の全ての組み合わせに対してセンドレベルの初期値を設定したが、「初期値を設定しない組み合わせ」をテーブルに含めてもよい。「初期値を設定しない組み合わせ」においては、当該入力チャンネルおよびＭＩＸバスの自動割当モードが共に“ＯＮ”であっても、上記ステップＳＰ２０において初期値は設定されない。例えば、モノラルの入力チャンネルからモノラル以外のカテゴリに属するＭＩＸバスへのセンドレベルを「初期値を設定しない組み合わせ」にする場合は、センドレベル初期値テーブル４００の内容は、図１３のように変更するとよい。
【００６２】
(4)また、上記実施例においては、メイン・コンソール１１００のＣＰＵ１１１４上で動作するプログラムによってセンドレベルの初期値を設定したが、このプログラムのみをＣＤ−ＲＯＭ、メモリカード等の記録媒体に格納して頒布し、あるいは伝送路を通じて頒布することもできる。
【符号の説明】
【００６３】
２：電動フェーダ、４：文字表示器、５．１サラウンド：
６  ＣＵＥボタン、８：ｆボタン、１０：ＳＥＬボタン、１２：オン／オフ・ボタン、１４，１８：ノブ、７０−１：チャンネルストリップ、７０−１〜７０−１６：チャンネルストリップ、７２：音質調整部、７４：小型ディスプレイ、７６−Ｌ，７６−Ｒ：チャンネルストリップ、８０：センドレベル調整部、８０ａ：ノブ群、８０ｂ：レイヤ選択部、８２：左メインディスプレイ、８２ａ：選択チャンネル領域、８２，８４：左右メインディスプレイ、８２ｂ，８４ｂ：ナビゲーション領域、８２ｃ，８４ｃ：パラメータ領域、８２ｅ，８４ｅ：チャンネル表示領域、８２ａ：（画像表示手段）、８４：右メインディスプレイ、１０２：アナログ入力部、１０４：デジタル入力部、１０６：内蔵エフェクタ部、１０８：入力パッチ部、１１０：ステレオ入力チャンネル調整部、１１２：入力チャンネル調整部、１１２−１〜１１２−１２８：入力チャンネル調整部、１１２−ｎ：第ｎ入力チャンネル調整部、１１４：エフェクトリターン部、１１６：ＭＩＸバス群、１１６−１〜１１６−９６：ＭＩＸバス（ミキシングバス）、１１８：ステレオバス、１２０：ステレオ出力チャンネル部、１２２：ＭＩＸ出力チャンネル部、１２２−ｍ：第ｍＭＩＸ出力チャンネル部、１２３：マトリクスバス群、１２４：マトリクス出力チャンネル部、１２６：出力パッチ部、１２８：アナログ出力部、１３０：デジタル出力部、１５０，１７０，１８０：音質調整部、１５２：チャンネル遅延部、１５４：音量調整部、１５６：オンオフ切換部、１５８：ステレオセンドオンオフ切換部、１６０：ＰＡＮ設定部、１６２−１〜１６２−９６：信号切換部、１６４−１〜１６４−９６：センドレベル調節部、１６６−１〜１６６−９６：センドオンオフ切換部、１７２−Ｌ，Ｒ：音量調整部、１７４−Ｌ，Ｒ：オンオフ切換部、１７６−Ｌ，Ｒ：チャンネル遅延部、１８２：音量調整部、１８４：オンオフ切換部、１８６：チャンネル遅延部、２００：ＭＩＸバス管理テーブル（ＭＩＸバス管理テーブル記憶手段）、２０２：チャンネル番号欄、２０４：カテゴリ欄、２０６：名称欄、２０８：グループＩＤ欄、２１０，３１０：自動割当モード欄、２５０：ＭＩＸバス設定ウィンドウ、２５２：チャンネル番号欄、２５４：カテゴリ選択欄、２５６：名称設定欄、２５８：チェックボックス、２６０：ＯＫボタン、２６２：キャンセルボタン、２６４：スクロールボタン、３００：入力チャンネル管理テーブル（入力チャンネル管理テーブル記憶手段）、３０２：チャンネル番号欄、３０４：カテゴリ欄、３０６：名称欄、３０８：グループＩＤ欄、３５０：入力チャンネルウィンドウ、３５２：チャンネル番号欄、３５４：カテゴリ選択欄、３５６：名称設定欄、３６０：ＯＫボタン、３６４：スクロールボタン、４００：センドレベル初期値テーブル、１０００：ＩＰ網、１１００：メイン・コンソール（ミキシングコンソール）、１１０２：前パネル、１１０４：後パネル、１１１０：パネル表示器群、１１１２：パネル操作子群、１１１４：ＣＰＵ（処理装置）、１１１６：メモリ、１１１８：コンソールＩ／Ｏ部、１１２０：ＣＰＵバス、１１２２：電動フェーダ群、１１２４：音声Ｉ／Ｏ部、１１２６：ＤＳＰ、１１２８：ネ���トワークＩ／Ｏ部、１１３０：オーディオバス、１１３２：その他Ｉ／Ｏ部、１２００：サブ・コンソール、１３００：エンジン、１３１０：パネル表示器群、１３１２：パネル操作子群、１３１４：ＣＰＵ、１３１６：メモリ、１３２６：ＤＳＰ、１３２８：ネットワークＩ／Ｏ部、１３３０：オーディオバス、１３３２：その他Ｉ／Ｏ部、１４００：マイク・コントローラ、１４０２：マイク、１５００：アンプコントローラ、１５０２：アンプ、１５０４：スピーカ、１６００：その他音声機器。
【図１】
2010278821.tif 000003
【図２】
2010278821.tif 000004
【図３】
2010278821.tif 000005
【図４】
2010278821.tif 000006
【図５】
2010278821.tif 000007
【図６】
2010278821.tif 000008
【図７】
2010278821.tif 000009
【図８】
2010278821.tif 000010
【図９】
2010278821.tif 000011
【図１０】
2010278821.tif 000012
【図１１】
2010278821.tif 000013
【図１２】
2010278821.tif 000014
【図１３】
2010278821.tif 000015